(57)【要約】【課題】風力発電も含めて電力系統上の全発電機の運用コストを最小化するように各発電機の単位時間毎の出力量を決定する。【解決手段】風力発電の発電量を予想することにより、人為的に発電量を増減させることが可能な各出力増減運用型発電機４〜１１による出力量を決定する発電機出力量決定システム１において、気象予測データ入力部５１と、風力発電機２，３の設置場所における風況を予測する風況予測部５２と、風力発電機２，３の単位時間毎の出力量を予測する風力発電予測部５３と、単位時間毎の必要発電量を記憶する必要発電量記憶部６１と、増減運用型発電４〜１１で発電する必要のある単位時間毎の発電量を算出する増減運用型発電量算出部５７と、各発電機の運用制約を記憶する運用制約記憶部６２と、単位時間毎の必要発電量を満たす出力増減運用型発電機４〜１１の単位時間毎のそれぞれの出力量を決定する前記発電機出力量決定部５８と、を備える。【選択図】図３
2008245374.tif 000002
【特許請求の範囲】
【請求項１】
気象予測データに基づいてある電力系統に属する風力発電の発電量を予想することにより、その電力系統に属する発電機であって各出力可変型発電機のうち人為的に発電量を増減して運用している各出力増減運用型発電機による発電出力量を決定する発電機出力量決定システムにおいて、
気象予測データの入力を受付ける気象予測データ入力部と、
前記風力発電機に係る情報を記憶する風力発電機情報記憶部と、
前記気象予測データ入力部で入力を受付けた気象予測データ及び前記風力発電機情報記憶部に記憶された風力発電機に係る情報に基づいて、前記風力発電機の設置場所における風速を含む風況を予測する風況予測部と、
前記風況予測部において予測した風況及び前記風力発電機情報記憶部に記憶された風力発電機に係る情報に基づいて、前記風力発電機の単位時間毎の出力量を予測する風力発電予測部と、
前記風力発電予測部による予測結果と、所定期間における単位時間毎の必要発電量とに基づいて、前記各出力増減運用型発電機による発電出力量を決定する発電量決定部と、
を備えることを特徴とする発電機出力決定システム。
【請求項２】
第１の請求項に記載の発電機出力量決定システムであって、
所定の期間における単位時間毎の必要発電量を記憶する必要発電量記憶部と、
前記必要発電量記憶部に記憶されている単位時間毎の必要発電量から前記風力発電予測部で予測された単位時間毎の出力量を差し引くことで、前記増減運用型発電機で発電する必要のある単位時間毎の発電量を算出する増減運用型発電量算出部と、
前記増減運用型発電機の各発電機の運用制約を記憶する運用制約記憶部と、を備え、
前記発電出力量決定部は、
前記運用制約記憶部において記憶されている運用制約の範囲内において、前記増減運用型発電量算出部で算出された単位時間毎の必要発電量を満たす前記出力増減運用型発電機の各発電機の単位時間毎のそれぞれの出力量を決定することを特徴とする発電機出力量決定システム。
【請求項３】
第１又は２の請求項に記載の発電機出力量決定システムであって、
複数ある前記出力増減運用型発電機の発電コストに関する情報を各出力増減運用型発電機と関係付けて記憶する発電コスト記憶部を備え、
前記発電機出力量決定部は、前記発電コスト記憶部に記憶された各出力増減運用型発電機の発電コストに基づき発電コストの合計が最小となるように前記必要発電量記憶部に記憶されている単位時間毎の必要発電量を満たす前記出力増減運用型発電機の単位時間毎の出力量を決定することを特徴とする発電機出力量決定システム。
【請求項４】
第１〜第３の請求項の何れかに記載の発電機出力量決定システムであって、
所定の期間における単位時間毎の電力需要量の予測に係る情報の入力を受付ける需要量入力部と、
所定のベース発電機による発電量に係る情報の入力を受付けるベース発電量入力部と、
前記需要量入力部において入力を受付けた単位時間毎の需要量から前記ベース発電量入力部において入力を受付けた単位時間毎の発電量を差し引いて必要発電量を算出し、その必要発電量を必要発電量記憶部に記憶させる必要発電量算出部と、
を備えることを特徴とする発電機出力量決定システム。
【請求項５】
気象予測データに基づいてある電力系統に属する風力発電の発電量を予想することにより、その電力系統に属する発電機であって各出力可変型発電機のうち人為的に発電量を増減して運用している各出力増減運用型発電機による発電出力量を決定する発電機出力量決定システムにおいて、
風力発電出力量予測部と発電総出力量決定部とを備え、
風力発電出力量予測部は、
気象予測データの入力を受付ける気象予測データ入力手段と、
前記風力発電機に係る情報を記憶する風力発電機情報記憶手段と、
前記気象予測データ入力手段で入力を受付けた気象予測データ及び前記風力発電機情報記憶手段に記憶された風力発電機に係る情報に基づいて、前記風力発電機の設置場所における風速を含む風況を予測する風況予測手段と、
前記風況予測手段において予測した風況及び前記風力発電機情報記憶手段に記憶された風力発電機に係る情報に基づいて、前記風力発電機の単位時間毎の出力量を予測する風力発電予測手段と、
前記風力発電予測手段において予測した結果を出力する出力手段と、を有し、
発電総出力量決定部は、
前記風力発電出力量予測部による予測結果の入力を受付ける入力手段と、
前記受信手段において受信した予測結果と所定期間における単位時間毎の必要発電量とに基づいて、前記各出力増減運用型発電機による発電出力量を決定する発電出力量決定手段と、を有する
ことを特徴とする発電機出力決定システム。
【請求項６】
気象予測データに基づいてある電力系統に属する風力発電の発電量を予想することにより、その電力系統に属する発電機であって各出力可変型発電機のうち人為的に発電量を増減して運用している各出力増減運用型発電機による発電の出力量を決定する発電機出力量決定方法において、
コンピュータが、
気象予測データの入力を受付けるステップと、
前記風力発電機に係る情報を記憶するステップと、
前記入力を受付けた気象予測データ及び前記記憶された風力発電機に係る情報に基づいて、前記風力発電機の設置場所における単位時間毎の風速を含む風況を予測するステップと、
前記予測した風況及び前記風力発電機情報記憶部に記憶された風力発電機に係る情報に基づいて、前記風力発電機の単位時間毎の出力量を予測するステップと、
前記予測結果と、所定期間における単位時間毎の必要発電量とに基づいて、前記各出力増減運用型発電機による発電出力量を決定するステップと、
を含むことを特徴とする発電機出力決定方法。
【請求項７】
気象予測データに基づいてある電力系統に属する風力発電の発電量を予想することにより、その電力系統に属する発電機であって各出力可変型発電機のうち人為的に発電量を増減して運用している各出力増減運用型発電機による発電の出力量を決定する発電機出力量決定プログラムにおいて、
コンピュータに、
気象予測データの入力を受付けるステップと、
前記風力発電機に係る情報を記憶するステップと、
前記入力を受付けた気象予測データ及び前記記憶された風力発電機に係る情報に基づいて、前記風力発電機の設置場所における単位時間毎の風速を含む風況を予測するステップと、
前記予測した風況及び前記風力発電機情報記憶部に記憶された風力発電機に係る情報に基づいて、前記風力発電機の単位時間毎の出力量を予測するステップと、
前記予測結果と、所定期間における単位時間毎の必要発電量とに基づいて、前記各出力増減運用型発電機による発電出力量を決定するステップと、
を実行させることを特徴とする発電機出力量決定プログラム。
【請求項８】
気象予測データに基づいてある電力系統に属する風力発電の発電量を予想することにより、その電力系統に属する発電機であって各出力可変型発電機のうち人為的に発電量を増減して運用している各出力増減運用型発電機による発電出力量を決定する発電機出力量決定方法において、
第１のコンピュータが、
気象予測データの入力を受付けるステップと、
前記風力発電機に係る情報を記憶するステップと、
前記受付けた気象予測データ及び前記記憶された風力発電機に係る情報に基づいて、前記風力発電機の設置場所における風速を含む風況を予測するステップと、
前記予測した風況及び前記記憶された風力発電機に係る情報に基づいて、前記風力発電機の単位時間毎の出力量を予測するステップと、
前記予測した結果を出力するステップと、を含み、
第２のコンピュータが、
前記出力された予測結果の入力を受付けるステップと、
前記受信した予測結果と所定期間における単位時間毎の必要発電量とに基づいて、前記各出力増減運用型発電機による発電出力量を決定するステップと、を含む
ことを特徴とする発電機出力決定方法。
【発明の詳細な説明】
【技術分野】
【０００１】
本発明は、風力発電を含めて、電力系統全体での発電コストが最小となるような各発電機の発電量を決定するシステム、方法及びプログラムに関する。
【背景技術】
【０００２】
近年、国連気候変動枠組条約京都議定書において我が国に課された温室効果ガス排出量数値目標の遵守の取組みへの貢献等のため、風力等の自然エネルギーによる電源の開発が進められている。現状においては風力発電による発電量は少ないため、風力発電については電力系統の運営のための需給計画に盛り込まれていないが、今後、風力の電源開発が進めば、風力発電についても当該需給計画に盛り込む必要がある。
【０００３】
ところで、風力発電には発電量が風況によって変動するが、電力系統上での電力需給をバランスさせる上では発電量の正確な予測が重要である。そこで、例えば、特許文献１には、風力発電所が設置されている地域の気象予報データに基づいて、その風力発電所の発電出力を予報し、情報端末に配信する技術が開示されている。
【０００４】
一方で、電気事業者においては、風力発電所、ガス火力発電所、石油火力発電所、石炭火力発電所、原子力発電所、水力発電所等における様々な種類の発電機における燃料費等の発電コストが全体として安くなるように発電機を運用する必要がある。特に、電気事業者においては、電気事業法改正により電力自由化が進む中で、発電コストを削減することにより価格競争力を高めることが以前にも増して重要となってきている。したがって、風力発電も含め、電力系統全体の発電コストが最小となるように各発電機の単位時間毎の出力量を決定する必要がある。
【特許文献１】特開２００５−１６３６０２号公報
【発明の開示】
【発明が解決しようとする課題】
【０００５】
本発明は、このような課題に対して、風力発電所の発電量を予測し、予測した風力発電も含めて電力系統上の全発電機の発電コストが全体として最小となるように各発電機の単位時間毎の出力量を決定する発電機出力量決定システム、方法及びプログラムを提供することを目的とする。
【課題を解決するための手段】
【０００６】
第１の発明は、気象予測データに基づいてある電力系統に属する風力発電の発電量を予想することにより、その電力系統に属する発電機であって各出力可変型発電機のうち人為的に発電量を増減して運用している各出力増減運用型発電機による発電出力量を決定する発電機出力量決定システムにおいて、
気象予測データの入力を受付ける気象予測データ入力部と、
前記風力発電機に係る情報を記憶する風力発電機情報記憶部と、
前記気象予測データ入力部で入力を受付けた気象予測データ及び前記風力発電機情報記憶部に記憶された風力発電機に係る情報に基づいて、前記風力発電機の設置場所における単位時間毎の風速を含む風況を予測する風況予測部と、
前記風況予測部において予測した風況及び前記風力発電機情報記憶部に記憶された風力発電機に係る情報に基づいて、前記風力発電機の単位時間毎の出力量を予測する風力発電予測部と、
前記風力発電予測部による予測結果と、所定期間における単位時間毎の必要発電量とに基づいて、前記各出力増減運用型発電機による発電出力量を決定する発電量決定部と、
を備えることを特徴とする発電機出力決定システムである。
【０００７】
第２の発明は、第１の発明に記載の発電機出力量決定システムであって、
所定の期間における単位時間毎の必要発電量を記憶する必要発電量記憶部と、
前記必要発電量記憶部に記憶されている単位時間毎の必要発電量から前記風力発電予測部で予測された単位時間毎の出力量を差し引くことで、前記増減運用型発電機で発電する必要のある単位時間毎の発電量を算出する増減運用型発電量算出部と、
前記増減運用型発電機の各発電機の運用制約を記憶する運用制約記憶部と、を備え、
前記発電出力量決定部は、
前記運用制約記憶部において記憶されている運用制約の範囲内において、前記増減運用型発電量算出部で算出された単位時間毎の必要発電量を満たす前記出力増減運用型発電機の各発電機の単位時間毎のそれぞれの出力量を決定することを特徴とする発電機出力量決定システムである。
【０００８】
第３の発明は、第１又は２の発明に記載の発電機出力量決定システムであって、
複数ある前記出力増減運用型発電機の発電コストを各出力増減運用型発電機と関係付けて記憶する発電コスト記憶部を備え、
前記発電機出力量決定部は、前記発電コスト記憶部に記憶された各出力増減運用型発電機の発電コストに基づき発電コストの合計が最小となるように前記必要発電量記憶部に記憶されている単位時間毎の必要発電量を満たす前記出力増減運用型発電機の単位時間毎の出力量を決定することを特徴とする発電機出力量決定システムである。
【０００９】
第４の発明は、第１〜第３の発明の何れかに記載の発電機出力量決定システムであって、
所定の期間における単位時間毎の電力需要量の予測に係る情報の入力を受付ける需要量入力部と、
所定のベース発電機による発電量に係る情報の入力を受付けるベース発電量入力部と、
前記需要量入力部において入力を受付けた単位時間毎の需要量から前記ベース発電量入力部において入力を受付けた単位時間毎の発電量を差し引いて必要発電量を算出し、その必要発電量を必要発電量記憶部に記憶させる必要発電量算出部と、
を備えることを特徴とする発電機出力量決定システムである。
【００１０】
第５の発明は、気象予測データに基づいてある電力系統に属する風力発電の発電量を予想することにより、その電力系統に属する発電機であって各出力可変型発電機のうち人為的に発電量を増減して運用している各出力増減運用型発電機による発電出力量を決定する発電機出力量決定システムにおいて、
風力発電出力量予測部と発電総出力量決定部とを備え、
風力発電出力量予測部は、
気象予測データの入力を受付ける気象予測データ入力手段と、
前記風力発電機に係る情報を記憶する風力発電機情報記憶手段と、
前記気象予測データ入力手段で入力を受付けた気象予測データ及び前記風力発電機情報記憶手段に記憶された風力発電機に係る情報に基づいて、前記風力発電機の設置場所における風速を含む風況を予測する風況予測手段と、
前記風況予測手段において予測した風況及び前記風力発電機情報記憶手段に記憶された風力発電機に係る情報に基づいて、前記風力発電機の単位時間毎の出力量を予測する風力発電予測手段と、
前記風力発電予測手段において予測した結果を送信する送信手段と、を有し、
発電総出力量決定部は、
前記風力発電出力量予測部による予測結果を受信する受信手段と、
前記受信手段において受信した予測結果と所定期間における単位時間毎の必要発電量とに基づいて、前記各出力増減運用型発電機による発電出力量を決定する発電出力量決定手段と、を有する
ことを特徴とする発電機出力決定システムである。
【発明の効果】
【００１１】
本発明によれば、風力発電所の発電量を予測し、予測した風力発電も含めて電力系統上の全発電機の発電コストが全体として最小となるように各発電機の単位時間毎の出力量を決定することができる。
【発明を実施するための最良の形態】
【００１２】
図１は、本発明の一実施形態である発電機出力量決定システム１を含んで構成される発電機の出力量を決定する情報処理システムの全体構成を示す図である。発電機出力量決定システム１は、ＰＣサーバ、ワークステーション、又はメインフレーム等のコンピュータである。
【００１３】
ガス火力発電所には、液化天然ガス（ＬＮＧ）を燃料とする発電機４,５が設置されている。発電機４,５は、例えば、ガスタービン及び蒸気タービンを備えるガス複合火力発電システムにおける発電機であるが、ガスタービン発電（オープン・サイクル）や汽力発電のいずれでもよい。ＬＮＧ貯蔵タンクに貯蔵されている天然ガスを用いてするガス火力発電では、発電機の容量の範囲で発電量を調節することができ、この調節可能な発電については、本発明における「出力増減運用型発電機」に該当する。
【００１４】
石油火力発電所、石炭火力発電所等の火力発電所には、石油又は石炭を燃料とする発電機６〜７が設置されているが、これらは発電量を調整可能であり、本発明における「出力増減運用型発電機」に該当する。なお、石炭火力発電所等で、最新設備による高効率の発電所等については、ベース電源として使用する場合もありえる。このベース電源として使用する発電機については、本発明における「ベース発電機」に該当する。
【００１５】
水力発電所には、水の位置エネルギーをもとに発電する発電機８,９が設置されている。発電機８,９は、例えば、流れ込み式の水力発電であってもよく、また貯水池式（ダム式を含む）の水力発電であってもよい。一般に、流れ込み式の水力発電の発電量は、取水量に依存するので、ベース電源として利用され、本発明においては「ベース発電機」該当するものとする。一方、貯水池式の水力発電の発電量は、貯水池及び発電機の容量の範囲で発電量を調節することが可能であり、本発明における「出力増減運用型発電機」に該当する。
【００１６】
揚水式水力発電所には、水の位置エネルギーをもとに発電する発電機１０，１１が設置されている。発電機１０，１１は、貯水池式（ダム式を含む）の水力発電と同様、発電量は、貯水池及び発電機の容量の範囲で発電量を調節することが可能であり、本発明における「出力増減運用型発電機」に該当する。
【００１７】
原子力発電所には、核分裂エネルギーの熱エネルギーを利用して発電する発電機１２，１３が設置されている。原子力発電では、技術的には出力を調節することは可能であるものの、一般に発電運転中は出力を一定に保つので、原子力発電所の発電機１２，１３は、本発明における「ベース発電機」に該当する。
【００１８】
図２は、発電機出力量決定システム１のハードウェア構成を示す図である。発電機出力量決定システム１は、ＣＰＵ２０、メモリ２１、記憶装置２２、記録媒体読取装置２３、通信インターフェース２４、入力装置２５、及び出力装置２６等を備えている。
【００１９】
記憶装置２２に記憶されているプログラムがメモリ２１に順次格納され、ＣＰＵ２０はメモリ２１に格納されたプログラムを実行する。ここで、記憶装置２２とは例えばハードディスクドライブ等である。また、記録媒体読取装置２３は、ＣＤ−ＲＯＭ等の記録媒体２７に記録されたプログラムを読み取り、記憶装置２２に格納することもできる。
【００２０】
通信インターフェース２４は、ネットワークを介して他のコンピュータとデータの送受信を行うためのインターフェースである。他のコンピュータとは、例えば、各発電所に設置された発電機２〜１３を制御するためのコンピュータ（不図示）等である。入力装置２５とは、キーボードやマウス等である。また、出力装置２６とは、ディスプレイやプリンタ等である。
【００２１】
図３は、発電機出力量決定システム１が備える機能の構成を示す図である。発電機出力量決定システム１は、気象予測データ入力部５１、風況予測部５２、風力発電予測部５３、需要量入力部５４、ベース発電量入力部５５、必要発電量算出部５６、増減運用型発電量算出部５７、発電出力量決定部５８、風力発電機情報記憶部６０、必要発電量記憶部６１、運用制約記憶部６２、発電コスト記憶部６３等を備えている。
【００２２】
なお、各機能部５１〜５８は、ＣＰＵ２０がメモリ２１に記憶されているプログラムを実行することにより実現される。また、各記憶部６０〜６３は、メモリ２１または記憶装置２２を用いて実現される。
【００２３】
風力発電機情報記憶部６０は、風力発電機の設置場所と、製造者等から入手した発電機の発電性能と、を記憶する。
【００２４】
気象予測データ入力部５１は、気象予測データであって、気象庁や天気予報会社が作成したもの或いは自社で作成したものの入力を受付ける。気象予測データとは、風力発電機情報記憶部６０で記憶されている風力発電機設置場所での気圧配置等の風速及び風向（以下、「風況」）の算出の基礎となるデータである。なお、気象予測データの入力は、操作者による手入力であってもよいし、インターネット等電気通信回線を介してデータを受信することで入力してもよい。
【００２５】
風況予測部５２は、気象予測データ入力部５１で入力を受付けた気象予測データに基づいて、風力発電機の設置場所での風況を予測する。例えば、気象庁が気象の数値予測に用いるＲＳＭ（Ｒｅｇｉｏｎａｌ Ｓｐｅｃｔｒａｌ Ｍｏｄｅｌ）の予報値を初期値および境界値として用い、翌日の風況を予測する。
【００２６】
風力発電予測部５３は、風況予測部５２において予測した風況、並びに風力発電機情報記憶部６０に記憶された風力発電機設置場所及び発電性能に基づいて、所定の期間（例えば、翌日１日間）の風力発電機の単位時間毎（例えば、１時間毎）の出力量を予測する。この予測された風力発電の発電量は、例えば、図４のグラフにおいて、風力発電量８３に示されるようなものである。
【００２７】
需要量入力部５４は、所定の期間における単位時間毎の電力系統全体の電力需要量の予測に係る情報の入力を受付ける。電力需要量は、例えば過去の同時期の電力需要量等に基づいて、予測されたもの等であって、例えば、図５のグラフにおいて電力需要量８１に示されるようなものである。
【００２８】
ベース発電量入力部５５は、所定のベース発電機による電力系統全体の発電量に係る情報の入力を受付ける。ベース発電機とは、上述の通り、原子力発電機や流れ込み式水力発電機のことであって、例えば、図６のグラフにおいてベース発電量８２に示される。
【００２９】
必要発電量算出部５６は、需要量入力部５４において入力を受付けた単位時間毎の需要量からベース発電量入力部５５において入力を受付けた単位時間毎の発電量を差し引いて必要発電量を算出する。例えば、図７のグラフにおいて、電力需要量８１とベース発電量８２で囲まれた斜線部分が必要発電量に相当する。そして、その算出された必要発電量を必要発電量記憶部６１に記憶させる。
【００３０】
増減運用型発電量算出部５７は、必要発電量記憶部６１に記憶されている単位時間毎の必要発電量から風力発電予測部５３で予測された単位時間毎の出力量を差し引くことで、増減運用型発電で発電する必要のある単位時間毎の発電量を算出する。例えば、図８のグラフにおいて、電力需要量８１と風力発電量８３で囲まれた斜線部分が必要発電量に相当する。なお、ここで増減運用型発電機とは、上述の通り、火力発機や、貯水池式水力発電機、揚水式水力発電機である。
【００３１】
発電出力量決定部５８は、発電コスト記憶部６３に記憶された各出力増減運用型発電機の発電コストに基づき発電コストの合計が最小となるように必要発電量記憶部６１に記憶されている単位時間毎の必要発電量を満たす出力増減運用型発電機の単位時間毎の出力量を決定する。この決定にあたっては、経済負荷配分制御（ＥＤＣ：Ｅｃｏｎｏｍｉｃ Ｄｉｓｐａｔｃｈｉｎｇ Ｃｏｎｔｒｏｌ）等の方法を用いてもよい。
【００３２】
なお、運用制約記憶部６２は、各発電機の出力量の上下限や潮流制約、発電機の運転停止・補修・検査期間の運転状況等、各発電機の運用における種々の制約を記憶している。発電出力量決定部５８の出力量決定において、停止中、補修中や検査中の発電機の出力量はゼロとされる。
【００３３】
また、発電コスト記憶部６３において記憶されている発電コストとは、複数ある前記出力増減運用型発電機の可変費用分の発電コストであって、例えば、火力発電であれば燃料費等であり、揚水式発電であれば上部調整池に水を汲み上げるコストであり、貯水池式水力発電（ダム式を含む）であればコストなしと見做す。
【００３４】
図９を参照して発電機出力量決定システム１において、各発電機の出力量を決定する処理フローを説明する。
【００３５】
まず、需要量入力部５４において、電力系統の総需要量の予測に係る情報の入力を受付ける（Ｓ９０２）。また、ベース発電量入力部５５において、電力系統全体でのベース発電機による発電量にかかる情報の入力を受付ける（Ｓ９０４）。そして、Ｓ９０２で入力された電力系統の総需要量から、Ｓ９０４で入力された電力系統全体でのベース発電機による発電量を差し引いた必要発電量を算出する（Ｓ９０６）。
【００３６】
一方、風力発電による発電量の予測として、まず気象庁等から入手した気象予測データの入力を受付ける（Ｓ９０８）。次に、Ｓ９０８で入力された気象予測データに基づいて、風力発電所での風況を予測する（Ｓ９１０）。さらに、Ｓ９１０で予測された風況に基づいて、風力発電所での発電量を予測する（Ｓ９１２）。
【００３７】
Ｓ９０６で算出した必要発電量から、Ｓ９１２で予測した風力発電による発電量を差し引いて、火力発電等の増減運用型の発電機で発電する必要のある発電量の総量を算出する（Ｓ９１４）。そして、その増減運用型発電機で発電する必要のある総量を満たすように各増減運用型発電機でのそれぞれの発電量を決定する（Ｓ９１６）。
【００３８】
以上の通り、本実施の形態の発電機出力量決定システム１によれば、風力発電所の発電量を予測し、予測した風力発電も含めて電力系統上の全発電機の発電コストが全体として最小となるように各発電機の単位時間毎の出力量を決定することができる。
【００３９】
図１０は、別の実施形態である発電機出力量決定システム１００が備える機能の構成を示す図である。発電機出力量決定システム１００は、風力発電出力量予測部１０１と発電総出力量決定部１０２とを備える。風力発電出力量予測部１０１と発電総出力量決定部１０２は、それぞれ図２に示されるハードウェア構成と同様、ＣＰＵ２０、メモリ２１、記憶装置２２、記録媒体読取装置２３、通信インターフェース２４、入力装置２５、及び出力装置２６等と同様の装置を備えている。
【００４０】
また、風力発電出力量予測部１０１は、気象予測データ入力手段１５１、風況予測手段１５２、風力発電予測手段１５３、風力発電機情報記憶手段１６０、出力手段１７１等を有し、発電総出力量決定部１０２は、需要量入力手段１５４、ベース発電量入力手段１５５、必要発電量算出手段１５６、増減運用型発電量算出手段１５７、発電出力量決定手段１５８、必要発電量記憶手段１６１、運用制約記憶手段１６２、発電コスト記憶手段１６３、入力手段１７２等を有している。
【００４１】
各機能手段１５１〜１５８は、それぞれ発電機出力量決定システム１の各機能部５１〜５８に対応する機能部と同様の機能を有する。また、各記憶手段１６０〜１６３は、それぞれ発電機出力量決定システム１の各記憶部６０〜６３に対応する記憶部と同様のデータを記憶する。
【００４２】
出力手段１７１は、発電機出力量決定システム１００において予測した風力発電量を出力し、入力手段１７２は、出力手段１７１で出力された結果についての入力を受付ける。この入出力は、電気通信回線を通じて行ってもよいし、人手を介して行ってもよい。
【００４３】
以上の通り、発電機出力量決定システム１００によれば、風力発電出力量予測部１０１と発電総出力量決定部１０２の２つのコンピュータによって、発電機出力量決定システム１と同様に、風力発電所の発電量を予測し、予測した風力発電も含めて電力系統上の全発電機の発電コストが全体として最小となるように各発電機の単位時間毎の出力量を決定することができる。
【００４４】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００４５】
【図１】本発明の実施形態である発電機出力量決定システム１を含んで構成される発電機の出力量を決定する情報処理システムの全体構成を示す図である。
【図２】発電機出力量決定システム１のハードウェア構成を示す図である。
【図３】発電機出力量決定システム１が備える機能の構成を示す図である。
【図４】風力発電による単位時間毎の発電量を示す図である。
【図５】当該電力系統における単位時間毎の電力需要量を示す図である。
【図６】ベース発電機による単位時間毎の発電量を示す図である。
【図７】ベース発電機以外の発電機によって発電される必要のある単位時間毎の発電量を示す図である。
【図８】増減運用型発電機によって発電される必要のある単位時間毎の発電量を示す図である。
【図９】各発電機の出力量を決定する処理フローを示す図である。
【図１０】別の実施形態である発電機出力量決定システム１００が備える機能の構成を示す図である。
【符号の説明】
【００４６】
１  発電機出力量決定システム              ２〜１３  発電機
２０  ＣＰＵ                                ２１  メモリ
２２  記憶装置                              ２３  記憶媒体読取装置
２４  通信インターフェース                  ２５  入力装置
２６  出力装置                              ２７  記録媒体
５１  気象予測データ入力部                  ５２  風況予測部
５３  風力発電予測部                        ５４  需要量入力部
５５  ベース発電量入力部                    ５６  必要発電量算出部
５７  増減運用型発電量算出部                ５８  発電出力量決定部
６０  風力発電情報記憶部                    ６１  必要発電量記憶部
６２  運用制約記憶部                        ６３  発電コスト記憶部
８１  電力需要量                            ８２  ベース発電機による発電量
８３  風力発電による発電量
【図１】
2008245374.tif 000003
【図２】
2008245374.tif 000004
【図３】
2008245374.tif 000005
【図４】
2008245374.tif 000006
【図５】
2008245374.tif 000007
【図６】
2008245374.tif 000008
【図７】
2008245374.tif 000009
【図８】
2008245374.tif 000010
【図９】
2008245374.tif 000011
【図１０】
2008245374.tif 000012